(57)【要約】【課題】  プリンタ装置の親展印刷、個人認証において、漢字変換およびＩＣカード情報の登録をプリンタの操作パネルから入力せずに、効率的に情報登録ができ、ユーザー管理が簡単に行えるプリンタシステムを得る。【解決手段】  プリンタ装置２の親展印刷、個人認証において、登録情報を端末装置１側の登録利用者データベース作成用アプリケーションソフトで作成し、その情報をプリンタ装置の制御部２０に送ることによって一括登録を可能とする。これにより、プリンタ装置内に漢字ＲＯＭ、漢字変換等の機能がなくてもデータベース２７から一括登録、修正、管理者変更等が容易に行える。【選択図】      図３
2010198372.tif 000002
【特許請求の範囲】
【請求項１】
端末装置、該端末装置が出力する印刷情報を印刷するプリンタ装置、前記両装置間を情報交換可能に繋ぐ通信回線、認証情報を読み書き可能に記憶する認証情報記憶媒体及び前記認証情報記憶媒体が記憶する該記憶媒体固有の認証情報を読み出す記憶媒体読み書き手段とから構成されるプリンタシステムにおいて、
前記端末装置は、
前記プリンタ装置の利用を許可する前記登録利用者情報を予め入力する操作入力手段と、
該入力手段により入力された前記登録利用者と該登録利用者が利用する認証情報記憶媒体から読み出される認証情報とを紐付けして利用者管理情報を作成するアプリケーションと、
該アプリケーションを実行する処理手段と、
前記利用者管理情報を格納する記憶手段と、
前記処理手段が生成した印刷情報及び利用者管理情報を前記通信回線を介して前記プリンタ装置に転送する転送手段と、を有し、
前記プリンタ装置は、
前記登録利用者の認証状態を表示できる表示装置と、
前記転送手段により転送された前記利用者管理情報を格納する登録利用者情報記憶手段と、
前記記憶媒体の読み書き手段を介して入力する記憶媒体の認証情報と前記登録利用者情報記憶手段に格納されている前記利用者管理情報とを照合し正しく照合された場合に印刷処理動作を実行許可する印刷処理制御手段と、を備えることを特徴とするプリンタシステム。
【請求項２】
前記記憶媒体読み書き手段は、前記端末装置に接続されることを特徴とする請求項１記載のプリンタシステム。
【請求項３】
前記端末装置側の記憶媒体読み書き手段を介して前記端末装置に読み出された前記認証情報は、表示データ変換処理が介在する前記通信回線を介して前記プリンタ装置内の登録利用者情報記憶手段に格納されている前記利用者管理情報と照合されることを特徴とする請求項２記載のプリンタシステム。
【請求項４】
前記記憶媒体読み書き手段は、前記プリンタ装置に接続されることを特徴とする請求項１記載のプリンタシステム。
【請求項５】
前記プリンタ装置側の前記記憶媒体読み書き手段を介してプリンタ装置に読み出された前記認証データは、前記通信回線を介して端末装置内の利用者管理情報に登録されることを特徴とする請求項４記載のプリンタシステム。
【請求項６】
前記利用者管理情報を作成するアプリケーションは、登録された登録利用者情報をプリンタ装置側の表示装置に適合する漢字表示データに変換する処理機能と前記転送手段により前記漢字表示パターンデータをプリンタの表示制御手段に送信することを特徴とする請求項１記載のプリンタシステム。
【発明の詳細な説明】
【技術分野】
【０００１】
本発明は、プリンタ装置とＰＣ（パーソナルコンピュータ）等の端末装置とを通信媒体を介して接続することによって構成されているプリンタシステムに関する。
【背景技術】
【０００２】
通常のＰＣとプリンタ装置との接続は、たとえばＬＡＮ、ＵＳＢ、セントロケーブル等の通信媒体により相互接続され、ＰＣからの印刷データを受信して印刷処理動作するようになっている。ここで、ＬＡＮによる接続については、ＰＣとプリンタ装置が直接接続されることは少なく、通常は中間にＨＵＢやルータを入れデータの通信を行っている。
【０００３】
ところで、このようなＰＣとプリンタ装置とによるプリンタシステムにおいて、プリンタ利用の際に活用されるカード認証システムでは、ＩＤカードをプリンタ装置にかざして漢字表示にて登録する手段には、漢字変換機能等を持たせなければならないため、開発も手間がかかってしまうという問題点があった（例えば、特許文献１、２参照）。
【０００４】
すなわち、従来一般に、プリンタ装置には、文書情報のセキュリティを確保する目的で、親展印刷、個人認証などの識別のため、ＩＣカードリーダを取り付けられているが、この個人認証を行うためには、ＩＣカードリーダ部にＩＣカードをかざすが、ちゃんと認識したかどうかを確認するためには、ブザーなどの音によるものと、音声報知機能が無いプリンタの場合は、操作パネルの表示部にユーザー名が、表示されそれをユーザーが確認することで、認証が正常に行われたかどうかがわかる。
【０００５】
この際の表示としては、カタカナやアルファベット表示にした場合、必要となる文字数は少なくて済むが、日本人の名前の場合、同音異漢字の固有名詞などが多数存在し、個人認証に対して誤りが発生する可能性がある。従って、理想としては漢字表記が望ましい。
そこで、ユーザー名を正しく確認するために、ユーザー名を漢字で表示させるためには、何らかの手段を用いて漢字変換を行わなければならない。
【０００６】
ここで、プリンタを認証許可されたユーザーに限定して利用させるため、予めユーザー登録する際の一般的手順を、図１２を用いて簡単に説明しておく。
すなわち、ユーザー登録をする場合、図１２に示すようなフローチャートの手順が必要になる。これを簡単に説明すると、プリンタを立ち上げプリンタ表示装置に表示されるメニューの中からユーザー登録を選び、次にその登録したいユーザー名を操作パネルに設けられたキーを使用して入力していく。
【０００７】
ひらがな入力が終わったら、変換キーを押し、目的の漢字が表示されるまで変換キーを押し続けなければならない。これを繰り返し行うことによって、登録するユーザー名を決定しすべて入力が終わったら、決定キーを押すとユーザー名がプリンタ内のメモリに登録される。
【０００８】
決定キーが押され、ユーザー名が登録された後は、操作パネルの表示画面には、そのユーザーが持っている「ＩＣカードをＩＣカードリーダに乗せて下さい」とメッセージが表示され、ユーザーは、自分の持っているＩＣカードをプリンタに組み込まれている、もしくは、プリンタにオプションとして外部接続されているＩＣカードリーダの上にＩＣカードを置くと、自動的にカードのＩＤ情報（認証情報）がＩＣカードリーダＲ／Ｗからプリンタの内部メモリに、先ほど登録したユーザー名とペアとして記憶（登録）される。
【０００９】
また、上記のようにして登録されたユーザー登録情報を修正したい場合は、図１３に示されるように、プリンタのユーザー登録情報を表示させ、変更したいユーザー名を確定させ、再度ＩＣカードリーダＲ／Ｗに、変更したユーザーのＩＣカードを上に置くとそのカード情報がＩＣカードリーダＲ／Ｗから読み取られ、前回登録しておいたユーザー情報にオーバーライトして書き換えられる。
【００１０】
このユーザー登録情報の変更については、図１３にフローチャートと操作パネル表示方法を記載した通りで、ここでの詳細な説明は省略する。
【先行技術文献】
【特許文献】
【００１１】
【特許文献１】特開２００５−７８２０３号公報
【特許文献２】特開２００６−１５５６３４号公報
【発明の概要】
【発明が解決しようとする課題】
【００１２】
ところで、上述したように、ＩＣカードリーダのユーザー登録については、プリンタ装置の操作表示手段で行うには、登録者情報を従来の操作パネルに装備されたような限られたキースイッチで日本語の入力および変換をするためには、プリンタ装置の内部に漢字ＲＯＭフォントや辞書変換機能を有していなければ実現できない。
【００１３】
そして、上述した図１２、図１３に示す従来方式では、以上のような構成により、漢字表記を実現させているだけのものであった。
【００１４】
しかし、上述した従来方式を実現しようとすると、プリンタ装置の中のメモリは肥大化してしまう。
また、プリンタ装置の前でこの操作を各自がしなければならないため、時間的にセッティングに相当な時間を使うことになってしまい、大変面倒である。
【００１５】
本発明はこのような事情に鑑みてなされたものであり、プリンタ装置の親展印刷、個人認証において、漢字変換およびＩＣカード情報の登録をプリンタの操作パネルから入力せずに、効率的に情報登録ができる方法として、新たな方法を提案するものである。
【００１６】
すなわち、ＰＣとプリンタ装置には、印刷をするために、ＬＡＮ、ＵＳＢなどのケーブル等のようなデータの転送手段がある。
本発明は、これを利用すると共に、ＰＣ側からＰＣに搭載されたデータベースアプリケーションを利用することによって、プリンタ装置側にユーザー登録ができる仕組みを作ったものであり、ユーザー管理が簡単に行えるプリンタシステムを得ることを目的とする。
【課題を解決するための手段】
【００１７】
このような目的に応えるために本発明（請求項１記載の発明）に係るプリンタシステムは、端末装置、該端末装置が出力する印刷情報を印刷するプリンタ装置、前記両装置間を情報交換可能に繋ぐ通信回線、認証情報を読み書き可能に記憶する認証情報記憶媒体及び前記認証情報記憶媒体が記憶する該記憶媒体固有の認証情報を読み出す記憶媒体読み書き手段とから構成されるプリンタシステムにおいて、前記端末装置は、前記プリンタ装置の利用を許可する前記登録利用者情報を予め入力する操作入力手段と、該入力手段により入力された前記登録利用者と該登録利用者が利用する認証情報記憶媒体から読み出される認証情報とを紐付けして利用者管理情報を作成するアプリケーションと、該アプリケーションを実行する処理手段と、前記利用者管理情報を格納する記憶手段と、前記処理手段が生成した印刷情報及び利用者管理情報を前記通信回線を介して前記プリンタ装置に転送する転送手段と、を有し、前記プリンタ装置は、前記登録利用者の認証状態を表示できる表示装置と、前記転送手段により転送された前記利用者管理情報を格納する登録利用者情報記憶手段と、前記記憶媒体の読み書き手段を介して入力する記憶媒体の認証情報と前記登録利用者情報記憶手段に格納されている前記利用者管理情報とを照合し正しく照合された場合に印刷処理動作を実行許可する印刷処理制御手段と、を備えることを特徴とする。
【００１８】
本発明（請求項２記載の発明）に係るプリンタシステムは、請求項１において、前記記憶媒体読み書き手段は、前記端末装置に接続されることを特徴とする。
【００１９】
本発明（請求項３記載の発明）に係るプリンタシステムは、請求項２において、前記端末装置側の記憶媒体読み書き手段を介して前記端末装置に読み出された前記認証情報は、表示データ変換処理が介在する前記通信回線を介して前記プリンタ装置内の登録利用者情報記憶手段に格納されている前記利用者管理情報と照合されることを特徴とする。
【００２０】
本発明（請求項４記載の発明）に係るプリンタシステムは、請求項１において、前記記憶媒体読み書き手段は、前記プリンタ装置に接続されることを特徴とする。
【００２１】
本発明（請求項５記載の発明）に係るプリンタシステムは、請求項４において、前記プリンタ装置側の前記記憶媒体読み書き手段を介してプリンタ装置に読み出された前記認証データは、前記通信回線を介して端末装置内の利用者管理情報に登録されることを特徴とする。
【００２２】
本発明（請求項６記載の発明）に係るプリンタシステムは、請求項１において、前記利用者管理情報を作成するアプリケーションは、登録された登録利用者情報をプリンタ装置側の表示装置に適合する漢字表示データに変換する処理機能と前記転送手段により前記漢字表示パターンデータをプリンタの表示制御手段に送信することを特徴とする。
【発明の効果】
【００２３】
以上説明したように本発明に係るプリンタシステムによれば、親展印刷、個人認証において、プリンタ装置のグラフィック操作パネルを用いてカードのユーザー登録とＩＣカードを関連づけて登録していく従来の方法よりも遙かに簡単に、ユーザー認証登録ができ、かつプリンタ装置の内部システムとして、漢字ＲＯＭ、漢字変換機能、ひらがな入力等をファームウエアで用意しなくとも、登録情報をＰＣ側の登録利用者データベース作成用アプリケーションソフトで作成し、その情報をプリンタの制御部に送ることによって、データベースから一括登録、修正、管理者変更等が容易にでき、ユーザー管理が簡単にできるシステムを提供することができる。
【００２４】
また、本発明によれば、ＰＣ側のデータベースにより新規ユーザー登録、ユーザー内容変更が瞬時にできる。
さらに、本発明によれば、プリンタ側には、漢字変換機能を持たなくて良く、また漢字ＲＯＭを持つ必要がない。
【００２５】
また、本発明によれば、管理者権限でのみ変更ができる仕組みにおいて、セキュリティが確保される。
さらに、本発明によれば、登録者の一元管理が可能である。
【図面の簡単な説明】
【００２６】
【図１】本発明に係るプリンタシステムの一実施形態を示す全体構成の概略斜視図である。
【図２】本発明に係るプリンタシステムにおいて、端末装置の構成を説明するための概略構成図である。
【図３】本発明に係るプリンタシステムにおいて、印刷装置２の構成を説明するための概略構成図である。
【図４】本発明に係るプリンタシステムにおいて、本実施形態で使用するユーザーＩＤを内包する可搬型記録媒体の代表例である（非接触型）ＩＣカードの基本構成を示す概略構成図である。
【図５】本発明に係るプリンタシステムの一実施形態を示し、ユーザー登録情報管理アプリケーションを立ち上げたときの画面を示す図である。
【図６】本発明に係るプリンタシステムの一実施形態を示し、ユーザー登録情報管理アプリケーションにおいて新規登録時の画面を説明するための図である。
【図７】図６に連続するユーザー入力の終了時の画面を説明するための図である。
【図８】本発明に係るプリンタシステムの一実施形態を示し、ＰＣ登録情報データベースのアプリケーション時のフローチャートである。
【図９】本発明に係るプリンタシステムの一実施形態を示し、ＰＣ登録情報をプリンタに送信するためのアプリケーション時のフローチャートである。
【図１０】本発明に係るプリンタシステムの別の実施形態を示し、ＰＣ登録情報をプリンタに送信するためのＦＴＰ、ＨＴＭＬ時のフローチャートである。
【図１１】図１０に続くステップを説明するためのフローチャートである。
【図１２】従来のユーザー設定手順のフローチャートおよび操作パネル表示画面を示す概略図である。
【図１３】従来のユーザー変更仕方を示すフローチャートおよび操作パネル表示画面を示す概略図である。
【発明を実施するための形態】
【００２７】
図１ないし図４は本発明に係るプリンタシステムの一実施形態を示すものであり、これらの図において、始めに、本実施形態のプリンタシステムの全体構成を、図１に基づいて以下に説明する。
【００２８】
すなわち、図１において、端末装置１はパーソナルコンピュータ（ＰＣ）等のホスト機器であり、ＬＡＮ（Ethernet（登録商標））を介してプリンタ２に接続されている。
端末装置１には、端末装置利用者が個々に所有し端末装置で作業をする際にユーザー認証した上で利用を許可するためのＩＣカード３からユーザーＩＤを取得するための読取装置としてＩＣカードＲ／Ｗ５（Ｒ／Ｗは、リーダライタの略）が接続されている。
【００２９】
また、印刷装置２にも、印刷装置を利用する際に利用者を認証して使用許可するため、ＩＣカード３からユーザーＩＤを取得するための読取装置としてＩＣカードＲ／Ｗ４が接続されている。
本発明において、上記ユーザーＩＤは、端末装置及び印刷装置を利用許可するためのユーザー認証情報である。
本例では、ＩＣカード３が内部のメモリに記憶するユーザーＩＤを使用する。この番号は全てのＩＣカードが種類によらず重複することなく、認証可能な情報として記憶されている。
【００３０】
図２は上記端末装置１の構成を説明する図である。
同図に示すように、端末装置１は、ＣＰＵ６、表示制御部７、入力制御部８、ＵＳＢ通信制御部９、ＬＡＮ通信制御部１０、記憶部１１で構成されている。さらに、表示制御部７にはディスプレイ１２が接続され、入力制御部８にはキーボード１３が接続され、ＵＳＢ通信制御部９には認証デバイスとして前述のＩＣカードＲ／Ｗ５が接続されている。
【００３１】
記憶部１１は、ＲＯＭ１４、ＲＡＭ１５、ＨＤＤ１６より構成され、ＨＤＤ１６の中には本実施形態での例の処理に必要なプログラム（ＤＢアプリケーション）である認証制御部１７、印刷装置ドライバ１８、常駐型ソフトウエア１９が格納されている。
【００３２】
一方、図３は前述の印刷装置２の構成を示す。
同図に示すように、ＰＰＲ制御部２０には、認証制御部２１、表示操作制御部２２、ＬＡＮ通信制御部２３、記憶装置制御部２４、印刷機構部２５が接続されている。さらに、認証制御部２１には認証デバイスとして、ＩＣカード（IC Card）Ｒ／Ｗ４が接続され、表示操作制御部２２には表示操作部２６が接続され、記憶装置制御部２４には記憶装置部（ＨＤＤ）２７が接続されている。
【００３３】
ＰＰＲ制御部２０内には、不図示のＣＰＵ、ＲＯＭ、ＲＡＭに加え、後述する印刷装置２内に発生したアラームとそのアラーム解除操作を行ったユーザーの認証情報がリストとして書き換え可能に登録記録する不揮発性メモリが内蔵されている。
【００３４】
さらに、印刷機構部２５の内部には、感光ドラム３２を画像情報に従って露光し、形成された静電画像をトナーで現像するプロセス機構部２８、トナー現像された画像を転写するための用紙を給紙する給紙機構部２９、各機構部の動作状態を識別検知する多数のセンサ３０などが内蔵されている。
【００３５】
一方、図４は本例で使用するユーザーＩＤを内包する可搬型記録媒体の代表例である非接触型ＩＣカード３の基本構成を示す。
なお、以下の説明においては、可搬型記録媒体としてＩＣカード３の例を説明するが、ＩＣカードに限るものではない。ＩＣカードと同様なＩＤ情報を記憶する携帯電話であっても良い。
【００３６】
ＩＣカード３は、ＣＰＵ４３、ＲＯＭ４４、ＲＡＭ４５、ＥＥＰＲＯＭ（不揮発性メモリ）４６と、通信部によって構成され、通信部端子は接触型のＩＣカードでは接点が使用され、非接触型のＩＣカードではアンテナ４７が使用される。ＩＣカードにおけるメモリ（４４、４５、４６）内のデータの読み書きは、ＣＰＵ４３の制御によって行われ、データアクセスには認証や暗号化がＣＰＵ４３によって施される。
【００３７】
ここで、本発明によれば、端末装置１（以下、パソコンまたはＰＣと略す）側には、ユーザー登録情報を管理するためのデータベースアプリケーション（以下、ＤＢアプリケーションと呼ぶ）が必要になる。
【００３８】
このユーザー登録用ＤＢアプリケーションの処理動作としては、パソコン１上にインストールして、立ち上げると、図５に示すようにパソコン１の画面には管理者としてのパスワードの画面が表示される。これは、特定の人しか登録ユーザーデータベースの登録内容を変更できないようにするためであり、パスワードを入力することによって図６に示すＤＢアプリケーションが動作し、ユーザーの登録・変更が可能になる。
【００３９】
また、パスワードの代わりとして管理者専用のＩＣカード３をＩＣカードリーダ４の上に置くと、プリンタ２はＤＢアプリケーションが立ち上げられているパソコン１に対してＩＣカード情報を（ＬＡＮ等を経由して）送信し、パソコン１側は、このＩＣカード情報を識別し、登録されている管理者ＩＣカード情報であればパスワードの代わりとして認証許可し、入力画面に進むことができる。
【００４０】
勿論、ＰＣ１側にＩＣカードリーダ５が装備されていれば、これにＩＣカード３を翳すことにより、読み取られたＩＣカードのＩＤ情報がＰＣ１に取り込まれ、同様に認証許可されて入力画面に進むことができる。
【００４１】
次に、ＤＢアプリケーションの入力画面は、図６のようになり画面上には、ユーザー名、ユーザーカードＩＤ、登録状況、変更履歴、管理者が記入できるようになっている。
【００４２】
まず、ＰＣ１のキーボード１３から、ユーザー名を入力し、次に操作キーを用いて、画面のユーザーカードＩＤのところにカーソルを持って行くと、「ＩＣカードをおいて下さい」のメッセージが表示される。
【００４３】
プリンタ２の上部に設置されているＩＣカードリーダ４または、ＰＣ１に接続されているカードリーダ５の上に自分の登録したいＩＣカード３を載せると、プリンタ２のＩＣカードリーダＲ／Ｗ４上に載せた場合は、ＩＣカードリーダＲ／Ｗ４が、そのカードＩＤの情報を読み取り、プリンタ２のメモリに格納され、ＰＣ１からの要求に対応して、読み取ったカードＩＤ情報を指定されたＰＣ１に対し送信し、ＰＣ１の登録状況データベースアプリケーション（ＤＢアプリケーション）は、プリンタ２から送られてきたカードＩＤをＤＢアプリケーションの画面上に表示する。
【００４４】
また、ＰＣ１上にＩＣカードリーダＲ／Ｗ５がある場合は、プリンタ２の時と同様に、このカードリーダＲ／Ｗ５から送られたユーザーＩＤをＰＣ１の登録状況ＤＢアプリケーションで受け、ＩＣカードリーダＲ／Ｗ５から送られてきたカードＩＤをＤＢアプリケーションの画面上に表示する。
【００４５】
この時点では、プリンタ２には、登録情報として、図６に示すように、ユーザー名とユーザーカードＩＤの関係がわからないため登録状況ＤＢアプリケーションの登録状況欄は、”未”、変更履歴欄は”本日の日付”、管理者の欄は何もない場合には”○”を表示して、最初の登録者のため管理者として登録状況を自動的に示す。この管理者欄は、複数の登録を行った場合、後から管理者の変更をする場合、変更したいユーザーの管理者欄をクリックすることで、素早く管理者変更ができる。
【００４６】
この管理者は、この登録状況ＤＢアプリケーションを立ち上げる際にパスワードの管理者にもできる。管理者パスワードが別途設定したい場合も登録状況ＤＢアプリケーションの作成上で立ち上げ時のパスワードを設定できるようにすることで、よりセキュアな管理ができる。
【００４７】
このように、プリンタ２の使用が許可される人、すべてのユーザー情報の登録を終了すると、図７に示すようになる。
【００４８】
また、アプリケーション立ち上げから、入力完了までのフローチャートは図８に示すようになる。
【００４９】
ここで、図７上側の表示画面は、全てのユーザーの入力が終了した状態を示しているが、登録状況が、まだすべて未定である。この状態では、ＰＣ１の登録状況ＤＢアプリケーション上では、入力が終わっただけにすぎず、プリンタ２のメモリ内にあるユーザー登録リストには、まだ登録情報としてアップされていない。
【００５０】
この登録状況ＤＢアプリケーションには、登録ボタンがあり、このボタンを押すことによって、図７下側の表示画面となり、ネットワーク上、もしくはＵＳＢ、セントロに接続されているプリンタ２に対し登録状況ＤＢアプリケーションからユーザー名情報、ユーザーカードＩＤ情報を１つのペアとして登録が始まり、すべての登録が終了するとＤＢアプリケーション上には登録状況がすべて完了になり、プリンタ２は、ＩＣカードリーダからの識別情報としてプリンタ２内のフラッシュメモリ２０ａに登録される。
【００５１】
ここで、本発明として解決すべき課題は、ＰＣ１上では、ユーザー名が漢字で登録できるが、漢字コードをそのままプリンタ２に送っても、プリンタ２は、漢字コード、漢字ＲＯＭが搭載されていないため、そのまま表示はできない点である。
【００５２】
そこで、本発明では、ＰＣ１側の登録状況ＤＢアプリケーションは、ユーザー名については、プリンタ２の操作パネル２６に設けられるＬＣＤなどの表示装置で表示する最適なドット数に漢字の文字表示データを加工する必要がある。ＰＣ１では、トゥルータイプ（true TYPE） フォントが主流のため、このフォントデータに対し、プリンタの表示装置に適合するための縦×横ドットの指定倍率をかけてＰＣ１内で変換することで、プリンタ２の表示装置で表示できる漢字のドットマトリクスデータが生成される。
【００５３】
このドットマトリクスのデータをプリンタ２に送りプリンタ２の表示部にユーザー名として表示するためのデータをプリンタ２内のフラッシュメモリ等の不揮発性メモリに格納しておくことで、プリンタ２の操作パネル２６上の表示装置にユーザー名を表示できるようになる。
【００５４】
このドットデータは、それほど大きくはないが、メモリの節約をする上で、ＰＣ１上で、データ圧縮をして、ＬＡＮなどの回線を介してプリンタ２にユーザー情報データとして送信し、プリンタ２内のフラッシュメモリ等の不揮発性メモリに格納しておくことでメモリの節約にもなる。
このフローチャートを、図９に示す。
【００５５】
以上説明したように本発明によるプリンタシステムでは、親展印刷、個人認証において、プリンタ装置のグラフィック操作パネルを用いてカードのユーザー登録とＩＣカードを関連づけて登録していく従来の方法よりも遙かに簡単に、ユーザー認証登録ができ、かつプリンタ装置の内部システムとして、漢字ＲＯＭ、漢字変換機能、ひらがな入力等をファームウエアで用意しなくとも、登録情報をＰＣ側の登録利用者データベース作成用アプリケーションソフトで作成し、その情報をプリンタの制御部に送ることによって、データベースから一括登録、修正、管理者変更等が容易にでき、ユーザー管理が簡単にできる等の効果を奏することができる。
【００５６】
また、本発明によれば、ＰＣ側のデータベースにより新規ユーザー登録、ユーザー内容変更が瞬時にできる。さらに、プリンタ側には、漢字変換機能を持たなくて良く、また漢字ＲＯＭを持つ必要がないという利点もある。
【００５７】
また、本発明によれば、管理者権限でのみ変更ができる仕組みにおいて、セキュリティを確保でき、さらに登録者の一元管理が可能である等の利点もある。
【００５８】
図１０および図１１は本発明に係るプリンタシステムにおいて、ドットマトリクスのデータをプリンタに送る際の、他の実施形態を説明するためのものである。
すなわち、上述した実施形態とは、別の方法として、プリンタ２内のＦＴＰ（File Transfer Protocol）機能を利用することも可能である。
【００５９】
これを説明すると、プリンタ２には、ＬＡＮ接続して、ＩＰアドレスが指定または、自動設定されるこれを利用し、プリンタ２の中のＦＴＰサーバー機能を使用することができる。ＰＣ１のブラウザから、Ｈｔｍｌ形式でプリンタ２内の登録情報一覧リストをＰＣ１に読み出し、上述されたＰＣ１での登録状況ＤＢアプリケーションの作成と同様のフォーマットが表示されそこにユーザー名、ユーザーカードＩＤを記入およびＩＣカードリーダＲ／Ｗ４で登録をしていく。
【００６０】
すべて登録が終わったらＤＢアプリケーション画面の登録ボタンを押すことによって、登録データがプリンタ２へ送られる。しかし、この際も前述と同様、ユーザー名に登録されたカタカナ、ひらがな漢字の部分の文字列についてプリンタ２で表示する最適なドット数に漢字の文字を加工する必要がある。
【００６１】
これについても上記同様、ＰＣ１上で、プリンタの表示装置に適合するための縦×横ドットの指定倍率をかけてＰＣ１内で変換し、プリンタの表示装置で表示できる漢字のドットマトリクスデータが生成される。
【００６２】
このドットマトリクスのデータをプリンタ２に送る時に、NO.１の登録ユーザー名のドットマトリックスデータ、NO.2の登録ユーザー名のドットマトリックスデータ．．．．．と言うようにプリンタ２に漢字フォントデータとして、HTMLで作成されたデータとは別にプリンタ２に送信する。プリンタ２の表示部２６にユーザー名として表示するためのデータをプリンタ２内のフラッシュメモリ等の不揮発性メモリに格納しておくことで、プリンタの操作パネル２６上にユーザー名を表示できるようになる。このドットデータは、それほど大きくはないが、メモリの節約をする上で、ＰＣ１上で、データ圧縮をしてプリンタ２にユーザー情報データとして送信し、プリンタ２内のフラッシュメモリ等の不揮発性メモリに格納しておくことでメモリの節約にもなる。
【００６３】
このような実施形態でのフローチャートが、図１０、図１１に示すようになるものであり、その詳細は容易に理解されよう。
【００６４】
なお、本発明は上述した実施の形態で説明した構造には限定されず、プリンタシステムを構成する各部の形状、構造等を適宜変形、変更し得ることはいうまでもない。
【００６５】
要は、本発明は、親展印刷、個人認証においてプリンタの操作パネルを用いてカードのユーザーＩＤとそのＩＤとの関連づけを行うために、従来プリンタの限られたキー操作でひらがな入力、漢字変換等時間がかかってしまう等の点に配慮し、この登録情報をＰＣ１側の登録利用者データベース作成用アプリケーションソフトで作成し、その情報をプリンタ２の制御部に送ることによって一括登録を可能としたことにより、プリンタ２内に漢字ＲＯＭ、漢字変換等の機能が無くてもデータベースから一括登録、修正、管理者変更等が容易にできるようにしたプリンタシステムであればよい。
【符号の説明】
【００６６】
１  端末装置
２  プリンタ
３  ＩＣカード（認証情報記憶媒体）
４  記憶媒体読み書き手段（認証デバイス；ＩＣカードリーダ；Ｒ／Ｗ）
５  記憶媒体読み書き手段（認証デバイス；ＩＣカードリーダ；Ｒ／Ｗ）
６  処理手段（ＣＰＵ）
７  表示制御部
８  入力制御部
９  ＵＳＢ通信制御部
１０  転送手段（ＬＡＮ通信制御部）
１２  ディスプレイ
１３  操作入力手段（キーボード）
１４  ＲＯＭ
１５  ＲＡＭ
１６  処理手段（ＨＤＤ）
１７  認証制御部（ＤＢアプリケーション）
１８  印刷装置ドライバ
１９  常駐型ソフトウエア
２０  メインのＰＰＰ制御部
２０ａ  登録利用者情報記憶手段
２１  認証制御部
２２  表示操作制御部
２３  ＬＡＮ通信制御部
２４  記憶装置制御部
２５  印刷機構部
２６  表示装置（表示操作部、グラフィック操作パネル）
２７  記憶装置部（ＨＤＤ）
【図１】
2010198372.tif 000003
【図２】
2010198372.tif 000004
【図３】
2010198372.tif 000005
【図４】
2010198372.tif 000006
【図５】
2010198372.tif 000007
【図６】
2010198372.tif 000008
【図７】
2010198372.tif 000009
【図８】
2010198372.tif 000010
【図９】
2010198372.tif 000011
【図１０】
2010198372.tif 000012
【図１１】
2010198372.tif 000013
【図１２】
2010198372.tif 000014
【図１３】
2010198372.tif 000015